(57)【要約】【課題】ネジ棒の先端に設けた押圧部を直線的に前進、後退される構造にすることによって、取付杆の押圧面に対して真っ直ぐに押圧することができ、また、取付杆に傷を付けることを確実に防止できる樋支持具勾配調整装置を提供する。【解決手段】雨樋を支持する樋支持具本体Ｔ１と、この樋支持具本体Ｔ１を壁面等に取付固定するための取付杆Ｔ２と、からなる樋支持具Ｔの勾配を調整する樋支持具勾配調整装置Ａであって、上記取付杆Ｔ２又は樋支持具本体Ｔ１の何れかを保持可能な樋支持具保持部１と、上記樋支持具本体Ｔ１又は取付杆Ｔ２を押圧して折曲可能な折曲部２を備えてなり、上記折曲部２は、ネジ溝２１に螺合されて前進、後退するネジ棒２２の先端に、押圧部３を設け、この押圧部３を、前記樋支持具本体Ｔ１又は取付杆Ｔ２に押圧して折曲するようにしたことを特徴とする。【選択図】図１
2008038567.tif 000002
【特許請求の範囲】
【請求項１】
雨樋を支持する樋支持具本体と、この樋支持具本体を壁面等に取付固定するための取付杆と、からなる樋支持具の勾配を調整する樋支持具勾配調整装置であって、
上記取付杆又は樋支持具本体の何れかを保持可能な樋支持具保持部と、
上記樋支持具本体又は取付杆の何れかを押圧して折曲可能な折曲部を備えてなり、
上記折曲部は、ネジ溝に螺合されて前進、後退するネジ棒の先端に、押圧部を設け、この押圧部を、前記樋支持具本体又は取付杆に押圧して折曲するようにしたことを特徴とする樋支持具勾配調整装置。
【請求項２】
請求項１において、
樋支持具保持部が、樋支持具の取付杆又は樋支持具本体の何れかを挟着保持可能な樋支持具保持基台よりなることを特徴とする樋支持具勾配調整装置。
【請求項３】
請求項１において、
樋支持具保持部が、樋支持具の取付杆又は樋支持具本体の何れかを架設保持可能な樋支持具架設孔台よりなることを特徴とする樋支持具勾配調整装置。
【請求項４】
請求項１において、
樋支持具保持部が、樋支持具の取付杆又は樋支持具本体の何れかを挟着保持可能な樋支持具保持基台及び樋支持具の取付杆又は樋支持具本体の何れかを架設保持可能な樋支持具架設孔台よりなることを特徴とする樋支持具勾配調整装置。
【請求項５】
請求項１〜４の何れかにおいて、
ネジ棒の後端には、電動工具を取付け可能な工具受部を形成したことを特徴とする樋支持具勾配調整装置。
【発明の詳細な説明】
【技術分野】
【０００１】
本発明は、雨樋を支承する樋支持具本体と、この樋支持具本体を壁面等に取付固定するための取付杆と、からなる樋支持具の勾配を、所望の角度に調整することができる樋支持具勾配調整装置に関する。
【背景技術】
【０００２】
一般に、雨樋を支承する樋支持具本体と、この樋支持具本体を壁面等に取付固定するための取付杆と、からなる樋支持具は、生産時に一定の角度で形成されており、施工現場において屋根勾配に合わせて上記樋支持具本体と取付杆との勾配（角度）の変更を生じる場合には、再度、所望の角度の勾配に形成された樋支持具を工場で再生産するか、或いは、ペンチ等の工具を使用して、施工現場で所望の角度の勾配に調整するか、しかなく、樋支持具の勾配を施工現場で簡単に調整できる装置はなかった。
【０００３】
そこで、本出願人は、上記課題を解決するため、施工現場で樋支持具の勾配を所望の角度に均一に調整できる樋支持具勾配調整装置を既に出願している（例えば、特許文献１参照。）。
【０００４】
この樋支持具勾配調整装置は、雨樋を支承する樋支持具本体と、これを壁面等に取付固定するための取付杆と、からなる樋支持具の樋支持具本体又は取付杆の何れか一方を固定可能な固定部と、当該固定部で支持された樋支持具の上記取付杆又は樋支持具本体に向けて、ローラーを回動させながら押し付けることによって、所望の角度の折曲部を形成する勾配調整手段とを備えたことを特徴にしたものであり、施工現場で樋支持具の勾配を所望の角度に均一に調整できる樋支持具勾配調整装置として好評を得ている。
【特許文献１】特願２００３−１５２４０１号
【発明の開示】
【発明が解決しようとする課題】
【０００５】
しかし、この樋支持具勾配調整装置は、勾配調整手段として、梃子によってローラーを回動させながら取付杆又は樋支持具本体に向けて押圧する構造であったため、勾配を構成する角度の調整に伴って、前記ローラーが取付杆又は樋支持具本体に対して真っ直ぐに上手く押せず、また、押圧の際に、取付杆又は樋支持具本体の押圧面をローラーが滑り、取付杆又は樋支持具本体に傷を付けてしまうという問題があった。
【０００６】
本発明は、かかる課題を解決することを目的とし、ネジ棒の先端に設けた押圧部を直線的に前進、後退させる構造にすることによって、取付杆又は樋支持具本体の押圧面に対して真っ直ぐに押圧することができ、また、取付杆又は樋支持具本体に傷を付けることを確実に防止できる樋支持具勾配調整装置を提供するものである。
【課題を解決するための手段】
【０００７】
上記目的を達成するため、
請求項１に係る樋支持具勾配調整装置は、雨樋を支持する樋支持具本体と、この樋支持具本体を壁面等に取付固定するための取付杆と、からなる樋支持具の勾配を調整する樋支持具勾配調整装置であって、上記取付杆又は樋支持具本体の何れかを保持可能な樋支持具保持部と、上記樋支持具本体又は取付杆の何れかを押圧して折曲可能な折曲部を備えてなり、上記折曲部は、ネジ溝に螺合されて前進、後退するネジ棒の先端に、押圧部を設け、この押圧部を、前記樋支持具本体又は取付杆に押圧して折曲するようにしたことを特徴とする。
【０００８】
請求項２に係る樋支持具勾配調整装置は、請求項１において、樋支持具保持部が、樋支持具の取付杆又は樋支持具本体の何れかを挟着保持可能な樋支持具保持基台よりなることを特徴とする。
【０００９】
請求項３に係る樋支持具勾配調整装置は、請求項１において、樋支持具保持部が、樋支持具の取付杆又は樋支持具本体の何れかを架設保持可能な樋支持具架設孔台よりなることを特徴とする。
【００１０】
請求項４に係る樋支持具勾配調整装置は、請求項１において、樋支持具保持部が、樋支持具の取付杆又は樋支持具本体の何れかを挟着保持可能な樋支持具保持基台及び樋支持具の取付杆又は樋支持具本体の何れかを架設保持可能な樋支持具架設孔台よりなることを特徴とする。
【００１１】
請求項５に係る樋支持具勾配調整装置は、請求項１〜４の何れかにおいて、ネジ棒の後端には、電動工具を取付け可能な工具受部を形成したことを特徴とする。
【発明の効果】
【００１２】
本発明によれば、次のような効果がある。
【００１３】
請求項１に係る樋支持具勾配調整装置によれば、樋支持具保持部が取付杆又は樋支持具本体の何れかを保持しながら、樋支持具本体又は取付杆を押圧して折曲可能な折曲部を備え、しかも、この折曲部は、ネジ溝に螺合されてネジ棒が前進、後退する、所謂、ネジ式の構造であるため、ネジ棒の先端に設けた押圧部を直線的に前進、後退させることによって、樋支持具本体又は取付杆の押圧面に対して真っ直ぐに押圧することができ、樋支持具本体又は取付杆に傷を付けることを確実に防止できる。
【００１４】
請求項２〜４に係る樋支持具勾配調整装置は、様々な形状の樋支持具に対して確実に保持可能とし、請求項１と同様の効果を発揮できるようにしたものである。
【００１５】
すなわち、請求項２に係る樋支持具勾配調整装置では、樋支持具保持部が、樋支持具の取付杆又は樋支持具本体の何れかを挟着保持可能な樋支持具保持基台であり、この樋支持具保持基台によって、樋支持具の取付杆又は樋支持具本体の何れかを挟着保持できるようにしたものである。
【００１６】
又、請求項３に係る樋支持具勾配調整装置では、樋支持具保持部が、樋支持具の取付杆又は樋支持具本体の何れかを架設保持可能な樋支持具架設孔台であり、この樋支持具架設孔台によって、樋支持具の取付杆又は樋支持具本体の何れかの両端部を支持することによって、架設保持できるようにしたものである。
【００１７】
更に、請求項４に係る樋支持具勾配調整装置では、樋支持具保持部が、樋支持具の取付杆又は樋支持具本体の何れかを挟着保持可能な樋支持具保持基台及び樋支持具の取付杆又は樋支持具本体の何れかを架設保持可能な樋支持具架設孔台であり、１つの装置で様々な形状の取付杆又は樋支持具本体に対応できる。
【００１８】
請求項５に係る樋支持具勾配調整装置によれば、ネジ棒の後端に、例えば、電動ドライバー等の電動工具を取付け可能な工具受部を形成することで、ネジ棒を電動工具で螺合することができ、現場作業での効率化を図ることができる。
【発明を実施するための最良の形態】
【００１９】
以下、本発明に係る樋支持具勾配調整装置を図面とともに説明する。
【実施例１】
【００２０】
図１は、本発明に係る樋支持具勾配調整装置Ａの一実施例を概略した全体正面図であり、図２は、図１の平面図、図３は、図１の側面図である。以下、これら図１〜３に基いて詳説する。
【００２１】
この樋支持具勾配調整装置Ａは、雨樋（不図示）を支持する樋支持具本体Ｔ１と、この樋支持具本体Ｔ１を壁面等に取付固定するための取付杆Ｔ２と、からなる樋支持具Ｔの勾配を調整するものであって、樋支持具本体Ｔ１を保持可能な樋支持具保持部１と、取付杆Ｔ２を押圧して折曲可能な折曲部２を備えてなる。
【００２２】
ここで、樋支持具保持部１は、取付杆Ｔ２又は樋支持具本体Ｔ１の何れかを保持可能であれば良く、本実施例では、取付杆Ｔ２を保持するものを例示しているが、樋支持具本体Ｔ１を保持することも可能である。
【００２３】
又、本実施例では、樋支持具保持部１が、取付杆Ｔ２又は樋支持具本体Ｔ１を架設保持可能な樋支持具架設孔台１１、及び、取付杆Ｔ２又は樋支持具本体Ｔ１を挟着保持可能な樋支持具保持基台１２の両方をベース板Ｂ上に設置した樋支持具勾配調整装置Ａを例示しているが、これら樋支持具架設孔台１１又は樋支持具保持基台１２の何れか一方だけがベース板Ｂ上に設置された樋支持具勾配調整装置Ａを形成することも可能である。
【００２４】
具体的には、取付杆Ｔ２又は樋支持具本体Ｔ１を架設保持可能な樋支持具架設孔台１１は、対向して立設された側壁板１１ａの略中央下方に、円形の開口部１１ｂを同位置に対向して開設し、これら開口部１１ｂの下端に、取付杆Ｔ２又は樋支持具本体Ｔ１が嵌挿される切欠状の受部１１ｃを形成している。
【００２５】
そして、取付杆Ｔ２又は樋支持具本体Ｔ１を、一方の開口部１１ｂの外方から挿入して他方の開口部１１ｂに貫通させ、取付杆Ｔ２又は樋支持具本体Ｔ１を受部１１ｃに嵌挿すれば、取付杆Ｔ２又は樋支持具本体Ｔ１の両端部が対向する２つの側壁板１１ａによって架設され、取付杆Ｔ２又は樋支持具本体Ｔ１を保持可能にしている。
【００２６】
一方、取付杆Ｔ２又は樋支持具本体Ｔ１を挟着保持可能な樋支持具保持基台１２としては、板状の基盤１２ａを立設し、この基盤１２ａの片面の両側に、一対の挟持片１２ｂを配置し、これら挟持片１２ｂ及び基盤１２ａをボルト、ナット等の締付具１２ｃで締付可能にしている。
【００２７】
そして、締付具１２ｃを緩めたうえで、挟持片１２ｂと基盤１２ａの間に樋支持具Ｔの取付杆Ｔ２の基端部を嵌挿して、この締付具１２ｃを締付ければ、取付杆Ｔ２を挟着して保持できるのである。
【００２８】
また、樋支持具保持基台１２は、ベース板Ｂ上を移動可能に形成しており、具体的には、ベース板Ｂの長手方向の両側にガイド用の長孔Ｂ１を形成すると共に、基盤１２ａの下端に台座１２ｄを固着し、この台座１２ｄの両側に孔部（不図示）を形成する。
【００２９】
そして、これら孔部（不図示）と長孔Ｂ１にボルト等の軸体１２ｅを下方から貫通し、その上端に蝶ナット１２ｆ等を螺合可能にして、樋支持具保持基台１２が、ベース板Ｂの長手方向の所望位置（後述する折曲部２の位置）に移動されるようにしている。
【００３０】
このように保持された樋支持具Ｔは、折曲部２によって、取付杆Ｔ２又は樋支持具本体Ｔ１の何れかを押圧して取付杆Ｔ２を折曲可能にしている。
【００３１】
折曲部２は、ネジ溝２１に螺合されて上、下に前進、後退するネジ棒２２の下端に、押圧部３を設け、この押圧部３を、取付杆Ｔ２又は樋支持具本体Ｔ１に押圧して取付杆Ｔ２を折曲するようにしている。
【００３２】
ここでは、対向して立設された側壁板１１ａの上端に架設板２３を設け、この架設板２３の中央にネジ溝２１を開設している。
【００３３】
ネジ棒２２の下端には、下方が先鋭な砲弾状に形成された押圧部３を螺合又は固着して設けても構わないが、取付杆Ｔ２への傷付きを確実に防止するため、ネジ棒２２の回転に伴って押圧部３が回転しないように、押圧部３をネジ棒２２の下端に回動自在に遊嵌して、供回りしないように設けることが望ましい。
【００３４】
もっとも、押圧部３を螺合すれば、この押圧部３を容易に取替できるため、素材又は形状等の異なる押圧部３を用意しておき、押圧される取付杆Ｔ２又は樋支持具本体Ｔ１の素材又は形状等に応じて押圧部３を螺合して取替可能な構造であっても構わない。
【００３５】
また、押圧部３の素材は、限定されるものではないが、硬質樹脂又は硬質ゴムなどで形成すれば、取付杆Ｔ２への傷付きを、より確実に防止できる。
【００３６】
なお、押圧部３の下端形状は、取付杆Ｔ２又は樋支持具本体Ｔ１の形状に応じて適宜形成されるものであり、矩形状、球状等であっても可能である。
【００３７】
一方、ネジ棒２２の上端には、ネジ棒２２を回転操作するための環状のハンドル部２４が固着されており、このハンドル部２４の適所に把持部２５が立設され、この把持部２５を回転することで、ネジ棒２２が上、下方向に前進、後退するのである。
【００３８】
なお、ネジ棒２２が前進、後退する方向は、樋支持具の形状、保持状態等に応じて決められ、本実施例のような上、下方向に限らず、左右方向又は斜め方向であっても構わない。
【００３９】
また、ネジ棒２２の所定位置には、ネジ棒２２を螺合して貫通する規制部２６を設けており、この規制部２６がハンドル部２４の下方への移動を規制するようにしている。
【００４０】
この規制部２６は、ネジ棒２２の任意の位置へ固定するか、架設板２３の上方又は、ハンドル部２４の下方へ固定して使用する（不図示）。
【００４１】
この規制部２６によって、取付杆Ｔ２を折り曲げる限界位置を設定したり、或いは、規制部２６の位置を所望位置に設定し、規制部２６に到達すれば、取付杆Ｔ２が所望の程度に一定に折り曲げ加工できるようにしても構わない。
【００４２】
更に、ネジ棒２２の上端には、例えば、電気ドリル、電動ドライバー等の電動工具を取付け可能な工具受部２７を形成しても良く、このような工具受部２７を形成しておけば、ネジ棒２２を電動工具で簡単に回動することができ、現場作業での効率化を図ることができる。
【００４３】
このように構成した本発明の樋支持具勾配調整装置Ａは、以下の要領で使用する。
【００４４】
図４（ａ），（ｂ）は、図１〜３で示した樋支持具保持基台１２に挟着保持された樋支持具Ｔの折曲部２による折曲動作を概略した概略動作図であり、  図５（ａ），（ｂ）は、図１〜３で示した樋支持具架設孔台１１に架設保持された樋支持具Ｔの折曲部２による折曲動作を概略した概略動作図である。
【００４５】
先ず、図４の樋支持具Ｔの場合には、図４（ａ）で示すように、取付杆Ｔ２の基端部Ｔ２１を樋支持具保持基台１２で挟着保持し、樋支持具Ｔを片持ち状態に支持する。
【００４６】
次いで、この樋支持具保持基台１２を長孔Ｂ１に沿ってベース板Ｂ上を移動させ、取付杆Ｔ２又は樋支持具本体Ｔ１の適所が、押圧部３の上、下する軸線上となるように配置し、この位置でベース板Ｂに固定する。
【００４７】
そして、図１〜３で示されたハンドル２４の把持部２５を回転操作したり、工具受部２７に電動工具を取付けて回動したりすれば、この回転・回動に伴って押圧部３が徐々に下方に向けて移動し、やがて取付杆Ｔ２又は樋支持具本体Ｔ１に到達する。
【００４８】
そして更に、押圧部３を下方に移動させれば、図４（ｂ）で示すように、押圧部３が取付杆Ｔ２又は樋支持具本体Ｔ１を下方に押圧して、固定された取付杆Ｔ２の基端部Ｔ２１を支点にして当該取付杆Ｔ２の勾配が変位され、樋支持具Ｔの勾配を調整できるのである。
【００４９】
又、図５の樋支持具Ｔ’の場合には、図５（ａ）で示すように、取付杆Ｔ２’を、樋支持具架設孔台１１の一方の開口部１１ｂ外方から挿入して他方の開口部１１ｂに貫通させ、取付杆Ｔ２を受部１１ｃに嵌挿して、この取付杆Ｔ２’の両端部を架設して保持する。
【００５０】
そして、上記と同じ要領で、図１〜３で示されたハンドル２４の把持部２５を回転操作したり、工具受部２７に電動工具を取付けて回動したりすれば、この回転・回動に伴って押圧部３が徐々に下方に向けて移動し、やがて取付杆Ｔ２’又は樋支持具本体Ｔ１に到達する。
【００５１】
そして更に、押圧部３を下方に移動させれば、押圧部３が取付杆Ｔ２’又は樋支持具本体Ｔ１を下方に押圧して、架設された支持棒Ｔ２’の両端部Ｔ２１’を支点にして取付杆Ｔ２’が下方に折り曲げられ、樋支持具Ｔ’の勾配を調整できるのである。
【実施例２】
【００５２】
図６は、本発明に係る樋支持具勾配調整装置Ａの他の実施例を概略した全体斜視図であり、図７は、図６を正面から見た状態の概略正面図である。
【００５３】
ここで、図１〜５と共通する部位には、同一の番号を付し、その説明は省略する。
【００５４】
本実施例では、図１〜５とは異なる形状の樋支持具Ｔ’’を折り曲げる場合を例示したものである。
【００５５】
この樋支持具Ｔ’’は、取付杆Ｔ２’’が、板状に形成されており、このような形状の取付杆Ｔ２’’では、これを保持可能な樋支持具保持基台１３が必要となるため、図６，７で示すような樋支持具勾配調整装置Ａを例示している。
【００５６】
この樋支持具勾配調整装置Ａは、図１，４で示した樋支持具保持基台１２に代えて使用され、基板５にボルト取付穴５１を開設し、これらボルト取付穴５１と、図２で示した長孔Ｂ１にボルト等の軸体５２を貫通し、その上端に蝶ナット（不図示）等を螺合して、樋支持具保持基台１３が、ベース板Ｂの長手方向の所望位置に移動されるようにしている。
【００５７】
また、基板５に連結して基台壁５４が立設され、この基台壁５４の片面には、取付杆Ｔ２’’の端部を嵌挿して支持する支持溝部５５と、取付杆Ｔ２’’の略中間を支持すると共に、その曲げられた形状に添接するように設置された支持体５６を設けている。
【００５８】
更に、基台壁５４には、差込穴５７が開設されており、この差込孔５７に、挿脱可能なピン５８を備えた支持蓋５９を差し込めば、取付杆Ｔ２’’を挟着して支持できる構造にしている。
【００５９】
このようにして支持された樋支持具Ｔ’’は、図４（ａ）と同じ要領で、取付杆Ｔ２’’
又は支持具本体Ｔ１’の適所が、押圧部３の上、下する軸線上となるように配置し、この位置でベース板Ｂに固定する。
【００６０】
そして、図１〜３で示されたハンドル２４の把持部２５を回転操作したり、工具受部２７に電動工具を取付けて回動したりすれば、この回転・回動に伴って押圧部３が徐々に下方に向けて移動し、やがて取付杆Ｔ２’’
又は支持具本体Ｔ１’に到達する。
【００６１】
そして更に、押圧部３を下方に移動させれば、図４（ｂ）と同様に、押圧部３が取付杆Ｔ２’’
又は支持具本体Ｔ１’を下方に押圧して、取付杆Ｔ２’’の支持体５６を支点にして当該取付杆Ｔ２’’の勾配が変位され、樋支持具Ｔ’’の勾配を調整できるのである。
【図面の簡単な説明】
【００６２】
【図１】本発明に係る樋支持具勾配調整装置Ａの一実施例を概略した全体正面図である。
【図２】図１の平面図である。
【図３】図１の側面図である。
【図４】（ａ），（ｂ）は、図１〜３で示した樋支持具保持基台１２に挟着保持された支持棒（不図示）を備えない樋支持具Ｔの折曲部２による折曲動作を概略した概略動作図である。
【図５】（ａ），（ｂ）は、図１〜３で示した樋支持具架設孔台１１に架設保持された支持棒を備えた樋支持具Ｔの折曲部２による折曲動作を概略した概略動作図である。
【図６】本発明に係る樋支持具勾配調整装置Ａの他の実施例を概略した全体斜視図である。
【図７】図６を正面から見た状態の概略正面図である。
【符号の説明】
【００６３】
Ａ    樋支持具勾配調整装置
Ｔ    樋支持具
Ｔ１  樋支持具本体
Ｔ２  取付杆（支持棒）
１    樋支持具保持部
１１  樋支持具架設孔台
１２  樋支持具保持基台
２    折曲部
２１  ネジ溝
２２  ネジ棒
２７  工具受部
３    押圧部
【図１】
2008038567.tif 000003
【図２】
2008038567.tif 000004
【図３】
2008038567.tif 000005
【図４】
2008038567.tif 000006
【図５】
2008038567.tif 000007
【図６】
2008038567.tif 000008
【図７】
2008038567.tif 000009